(57)【要約】  【課題】  ラップフィルムを安定して収納するとともに、その端部を清潔に保持する。  【解決手段】  ラップフィルムロールを収納する容器本体１と、容器本体１の周方向一端にヒンジ結合された容器蓋８と、容器本体１の周方向他端に外向き山形形状に突設されてラップフィルムの端部が当接される当接面２と、容器蓋８の周方向他端にヒンジ結合されて当接面２の形状に対応する断面くの字形に形成されるとともに先端にカッター１７を保持したフラップ１４と、容器本体１の軸方向端部の側板１ａ，１ｂと容器蓋８の軸方向端部の側板８ａ，８ｂとの重合部に相対向して設置された吸着用磁石５，６および吸着用磁石１１，１２とを備える。【選択図】  図３
2005255185.tif 000002
【特許請求の範囲】
【請求項１】
ラップフィルムロールを収納する容器本体と、
該容器本体の周方向一端にヒンジ結合された容器蓋と、
前記容器本体の周方向他端に外向き山形形状に突設されてラップフィルムの端部が当接される当接面と、
前記容器蓋の周方向他端にヒンジ結合されて前記当接面の形状に対応する断面くの字形に形成されるとともに先端にカッターを保持したフラップと、
前記容器本体の軸方向端部の側板部と前記容器蓋の軸方向端部の側板部との重合部または当接部に相対向して設置された吸着用磁石と、
を備えたことを特徴とするラップフィルム収納ケース。
【請求項２】
請求項１に記載のラップフィルム収納ケースにおいて、
前記当接面と前記フラップの内面との相対向する位置にそれぞれ吸着用磁石を配設したことを特徴とするラップフィルム収納ケース。
【請求項３】
請求項１または２に記載のラップフィルム収納ケースにおいて、
前記相対向して設置された吸着用磁石の一方を磁性金属片としたことを特徴とするラップフィルム収納ケース。
【請求項４】
請求項１乃至３のいずれかに記載のラップフィルム収納ケースにおいて、
前記容器本体と前記容器蓋とを軸支するヒンジ部分に前記容器蓋を開方向に付勢するばねを装着したことを特徴とするラップフィルム収納ケース。
【請求項５】
請求項１乃至４のいずれかに記載のラップフィルム収納ケースにおいて、
前記容器蓋と前記フラップとを軸支するヒンジ部分に前記フラップを閉方向に付勢するばねを装着したことを特徴とするラップフィルム収納ケース。
【請求項６】
請求項１乃至５のいずれかに記載のラップフィルム収納ケースにおいて、
前記フラップの外側稜線部分の軸方向中央部に凹部を形成したことを特徴とするラップフィルム収納ケース。
【請求項７】
請求項１乃至６のいずれかに記載のラップフィルム収納ケースにおいて、
前記当接面の稜線部分の軸方向中央部に凹部を形成したことを特徴とするラップフィルム収納ケース。
【請求項８】
請求項１乃至７のいずれかに記載のラップフィルム収納ケースにおいて、
前記当接面の少なくとも周方向外側の面に、当接されたラップフィルムを吸着する吸着材を貼着したことを特徴とするラップフィルム収納ケース。
【請求項９】
請求項１乃至８のいずれかに記載のラップフィルム収納ケースにおいて、
前記容器蓋の内面であって前記容器本体側ヒンジ寄りの位置に板ばねの基端部を固着しその先端部を前記フラップ側の軸心寄りに保持したことを特徴とするラップフィルム収納ケース。
【発明の詳細な説明】
【技術分野】
【０００１】
本発明は、台所や厨房で食品の保存等に使用するラップ、アルミホイル、クッキングペーパー等（以下、ラップフィルムと称す）のロールを収納するラップフィルム収納ケースに関し、詳しくは、収納ケースからラップフィルムを引き出して切断後に、収納ケース側に残ったラップフィルム端部が収納ケースの内部に戻らないようにして、次回の使用時に端部を容易に引き出すことのできるラップフィルム収納ケースに関する。
【背景技術】
【０００２】
従来のラップフィルム収納ケースとしては、特許文献１に記載の「ラップフィルム収納ケース」がある。これは、フタ２が固定バンド８で容器本体１側に固定できるように構成されている。すなわち、図４および図５に示されるように、フタ２の側面には固定バンド８が一体に形成されており、この固定バンド８は、フタ２側への付け根部８a が屈曲自在に設けられるとともに、その付け根部８a の屈曲により容器本体１の側板部１−１に外側から当接できるように構成されている。また、この固定バンド８には、容器本体１の側板部１−１と当接する面側に、係合凸部９が設けられている。これに対して、容器本体１の側板部１−１には係合孔１０が設けられている。このように構成されたことで、容器本体１側の係合孔１０に上記固定バンド８側の係合凸部９が挿入され係合することにより、フタ２は固定バンド８で容器本体１側に固定される構造となっている。
【特許文献１】特開２００３−８１２８０号公報、図４および図５
【発明の開示】
【発明が解決しようとする課題】
【０００３】
しかしながら上述した特許文献１に記載の「ラップフィルム収納ケース」は、容器本体１にフタ２を被せてその閉じた状態を保持するために、固定バンド８の先端に設けた係合凸部９を、容器本体１側の係合孔１０に係合させる構造であるため、プラスチック製の固定バンド８の先端が経年変化により外側へ変形したり、係合凸部９が磨耗したりすることがあった。その場合は、容器本体１とフタ２との係合が不完全となり、使用中に、フタ２が不意に開いてラップフィルムが飛び出すという不具合があった。そこで、本発明は、使用中に、容器本体とフタとの係合が外れることのない安定した使用感の得られるラップフィルム収納ケースを提供することを目的とした。
【課題を解決するための手段】
【０００４】
上記課題を解決するために、本発明のラップフィルム収納ケースは、ラップフィルムロールを収納する容器本体と、該容器本体の周方向一端にヒンジ結合された容器蓋と、前記容器本体の周方向他端に外向き山形形状に突設されてラップフィルムの端部が当接される当接面と、前記容器蓋の周方向他端にヒンジ結合されて前記当接面の形状に対応する断面くの字形に形成されるとともに先端にカッターを保持したフラップと、前記容器本体の軸方向端部の側板部と前記容器蓋の軸方向端部の側板部との重合部または当接部に相対向して設置された吸着用磁石とを備えたことを特徴とする。
なお、前記当接面と前記フラップの内面との相対向する位置にそれぞれ吸着用磁石を配設することも可能である。
また、前記相対向して設置された吸着用磁石の一方を磁性金属片とすることも可能である。
さらに、前記容器本体と前記容器蓋とを軸支するヒンジ部分に前記容器蓋を開方向に付勢するばねを装着することが好ましい。
同様に、前記容器蓋と前記フラップとを軸支するヒンジ部分に前記フラップを閉方向に付勢するばねを装着することが好ましい。
また、前記フラップの外側稜線部分の軸方向中央部に凹部を形成することが好ましい。
同様に、前記当接面の稜線部分の軸方向中央部に凹部を形成することが好ましい。
さらに、前記当接面の少なくとも周方向外側の面に、当接されたラップフィルムを吸着する吸着材を貼着することが好ましい。
さらに、前記容器蓋の内面であって前記容器本体側ヒンジ寄りの位置に板ばねの基端部を固着しその先端部を前記フラップ側の軸心寄りに保持することも可能である。
【発明の効果】
【０００５】
以上述べたように本発明によれば、容器本体の軸方向端部の側板部と容器蓋の軸方向端部の側板部との重合部または当接部に相対向して吸着用磁石を設置したことで、容器本体と容器蓋は確実に閉じた状態に保持されて、使用中に突然蓋が開いてラップフィルムが飛び出すこと解消される。また、収納ケースからラップフィルムを引き出して切断後に、収納ケース側に残ったラップフィルム端部が収納ケースの内部に戻らないため、次回の使用時に端部を容易に引き出すことができる。さらには、フラップおよび当接面の軸方向中央部分に凹部を設けたことで、視力障害のある使用者であっても、ラップフィルムの容器への収納および取り出しの操作が容易かつ確実に行える。
【発明を実施するための最良の形態】
【０００６】
以下、図に基づいて本発明の実施形態を説明する。
図１〜図３は本発明をラップ専用のラップフィルム収納ケースに適用した第１の実施形態を示し、図１はラップを収納した状態の斜視図であり、図２は使用状態の横断面図であり、図３はラップ交換のため開放した状態の斜視図である。これらの図に示されるように、ラップフィルム収納ケースは、ラップが収納される断面半円形をした容器本体１の周方向一端に外方向に突出した山形形状の当接面２が形成されている。当接面２の周方向外側の表面には、引き出されたラップを吸着するための樹脂板３が貼着されている。樹脂板３としては、商品名「サンロイドユニ」（筒中プラスチック工業株式会社製）が好ましいがこれに限定されるものではない。当接面２の軸方向中央部分には、ラップを摘みやすくするためと視覚障害がある使用者が中央部分を確認できるように凹部４が形成されている。なお、図４は、容器本体１から当接面２の部分を取り出して単独で示した斜視図である。
【０００７】
容器本体１の軸方向両端には円形をした側板１ａ，１ｂが一体的に取り付けられている。この側板１ａ，１ｂは樹脂製であり、その中心部分に磁石５，６が嵌着されている。容器本体１の周方向他端には、ヒンジ７を介して断面半円形をした容器蓋８が軸支されている。容器蓋８の軸方向両端には一部が欠けた円形の側板８ａ，８ｂが一体的に取り付けられている。この側板８ａ，８ｂは、容器本体１の側板１ａ，１ｂの間隔よりも広く配置されているため、容器蓋８が閉じられたとき、側板１ａ，１ｂの外側に重合する。この側板８ａ，８ｂは樹脂製であり、その中心部分に磁石１１，１２が嵌着されている。容器蓋８が閉じられたときに、側板８ａ，８ｂが容器本体１の側板１ａ，１ｂの外側に重合し、磁石５，６と磁石１１，１２が互いに吸着することで、容器本体１に対して容器蓋８が閉じられた状態を保持することができる。なお、磁石５，６と磁石１１，１２のいずれか一方を鉄片に置き換えることも可能である。
【０００８】
容器蓋８の周方向他端には、ヒンジ１３を介して断面Ｌ字形をしたフラップ１４が軸支されている。また、ヒンジ１３にはコイルばね１５が装着されて、フラップ１４を閉じ方向に付勢している。容器本体１に容器蓋８が閉じられた状態で、フラップ１４が閉じ方向に回動すると、フラップ１４の先端の折曲部分が当接面２に重なるとともに、このフラップ１４の閉じた状態がコイルばね１５により保持されて、内部に収納されているラップの先端が直接外気に触れないように保持される。フラップ１４の先端内側には、アングル材１６が接着されており、その間に鋸歯状のカッター１７が保持されている。このカッター１７により引き出されたラップが切断される。このフラップ１４の外側先端側の面の軸方向中央部分には、フラップ１４を摘みやすくするためと視覚障害がある使用者が中央部分を確認できるように凹部１８が形成されている。なお、図５はフラップ１４を単独で示した斜視図である。
【０００９】
このように構成されたラップフィルム収納ケースを使用する場合は、図３のように、容器蓋８を開き、かつフラップ１４をコイルばね１５の付勢に対抗して開いた状態にしてから、ラップ１９を図２のような巻き付け方向にして、容器本体１の内部に挿入する。次に、ラップ１９の先端を当接面２よりも外側に引き出してから、容器蓋８を閉じる。すると、容器本体１側の磁石５，６と、容器蓋８側の磁石１１，１２とが互いに吸着し合って、図２のように容器本体１に対して容器蓋８が閉じられた状態に強く保持され、通常の取り扱いでは、容器蓋８が開くことなく保持される。
【００１０】
次に、開放状態であるフラップ１４を放置すると、コイルばね１５によりフラップ１４は閉じられて、当接面２の上にカッター１７が位置することになる。この状態で、ラップ１９の先端を摘まみ、上方へ引き上げることで、ラップ１９はカッター１７で切断される。この状態がラップフィルム収納ケースの通常の待機状態となる。ここで、ラップ１９を使用しようとすると、右利きの使用者の場合は、収納ケースを図１に示す前後方向に向けてから、フラップ１４を左側にして左手で容器蓋８を手の平にのせ、左手の親指をフラップ１４の凹部１８にかける。次に、左手で容器蓋８および容器本体１をしっかりと把持したまま、左手の親指で凹部１８を押しながらフラップ１４を開き、内部の樹脂板３に吸着されているラップ１９の端の幅方向中央部すなわち凹部４の部分を右手で摘まみ、右方向へ引き出す。ラップ１９のロール部分が回転して必要な長さが引き出されたら、そこで左手の親指を凹部１８からはなす。すると、フラップ１４はコイルばね１５のばね力で戻り閉じられる。この状態で、引き出されたラップ１９を上方へ引き上げてカッター１７により切断する。この切断のとき、左手の親指で凹部１８を閉じ方向に押していれば、より安定して、ラップが切断される。このラップフィルム収納ケースでは、特にフラップ１４のヒンジ１３部分にコイルばね１５を装着して、フラップ１４を常時閉じるように付勢しているため、ラップ１９が衛生的に保持される。
【００１１】
図６〜図８は本発明をアルミホイル用とラップ用を兼ねたラップフィルム収納ケースに適用した第２の実施形態を示し、図６はアルミホイルまたはラップ（以下、アルミホイル等という。）を収納した状態の斜視図であり、図７は使用状態の横断面図であり、図８はアルミホイル等を交換のため開放した状態の斜視図である。これらの図に示されるように、ラップフィルム収納ケースは、アルミホイル等が収納される断面半円形をした容器本体２１の周方向一端に外方向に突出した山形形状の当接面２２が形成されている。当接面２２の周方向外側の表面には、ラップが収納された場合に引き出されたラップを吸着するための樹脂板２３が貼着されている。樹脂板２３としては、商品名「サンロイドユニ」（筒中プラスチック工業株式会社製）が好ましいがこれに限定されるものではない。当接面２２の軸方向中央部分には、アルミホイル等を摘みやすくするためと視覚障害がある使用者が中央部分を確認できるように凹部２４が形成されている。
【００１２】
容器本体２１の軸方向両端には円形をした側板２１ａ，２１ｂが一体的に取り付けられている。この側板２１ａ，２１ｂは樹脂製であり、その中心部分に磁石２５，２６が嵌着されている。容器本体２１の周方向他端には、ヒンジ２７を介して断面半円形をした容器蓋２８が軸支されている。また、ヒンジ２７にはコイルばね２９が装着されて、容器蓋２８を開方向に付勢している。容器蓋２８の軸方向両端には一部が欠けた円形の側板２８ａ，２８ｂが一体的に取り付けられている。この側板２８ａ，２８ｂは、容器本体２１の側板２１ａ，２１ｂの間隔よりも広く配置されているため、容器蓋２８が閉じられたとき、側板２１ａ，２１ｂの外側に重合する。この側板２８ａ，２８ｂは樹脂製であり、その中心部分に磁石３１，３２が嵌着されている。容器蓋２８が閉じられたときに、側板２８ａ，２８ｂが容器本体２１の側板２１ａ，２１ｂの外側に重合し、磁石２５，２６と磁石３１，３２が互いに吸着することで、容器本体２１に対して容器蓋２８が閉じられた状態を保持することができる。なお、磁石２５，２６と磁石３１，３２のいずれか一方を鉄片に置き換えることも可能である。
【００１３】
容器蓋２８の周方向他端には、ヒンジ３３を介して断面Ｌ字形をしたフラップ３４が軸支されている。また、ヒンジ３３にはコイルばね３５が装着されて、フラップ３４を閉じ方向に付勢している。容器本体２１に容器蓋２８が閉じられた状態で、フラップ３４が閉じ方向に回動すると、フラップ３４の先端の折曲部分が当接面２２に重なるとともに、このフラップ３４の閉じた状態がコイルばね３５により保持されて、内部に収納されているアルミホイル等の先端が直接外気に触れないように保持される。フラップ３４の先端内側には、アングル材３６が接着されており、その間に鋸歯状のカッター３７が保持されている。このカッター３７により引き出されたアルミホイル等が切断される。このフラップ３４の外側先端側の面の軸方向中央部分には、フラップ３４を摘みやすくするためと視覚障害がある使用者が中央部分を確認できるように凹部３８が形成されている。このように構成されたラップフィルム収納ケースの使用方法は、図１〜図３に示されたラップ専用のラップフィルム収納ケースの使用方法と同一であるので、その説明を省略する。
【００１４】
図９〜図１１は本発明をクッキングペーパー等の紙類を収納するラップフィルム収納ケースに適用した第３の実施形態を示し、図９はクッキングペーパー等を収納した状態の斜視図であり、図１０は使用状態の横断面図であり、図１１はクッキングペーパー等を交換のため開放した状態の斜視図である。これらの図に示されるように、ラップフィルム収納ケースは、ロール状のクッキングペーパー等が収納される断面半円形をした容器本体４１の周方向一端に外方向に突出した山形形状の当接面４２が形成されている。当接面４２の軸方向中央部分には、クッキングペーパー等を摘みやすくするためと視覚障害がある使用者が中央部分を確認できるように凹部４４が形成されている。
【００１５】
容器本体４１の軸方向両端には円形をした側板４１ａ，４１ｂが一体的に取り付けられている。この側板４１ａ，４１ｂは樹脂製であり、その中心部分に磁石４５，４６が嵌着されている。容器本体４１の周方向他端には、ヒンジ４７を介して断面半円形をした容器蓋４８が軸支されている。また、ヒンジ４７にはコイルばね４９が装着されて、容器蓋４８を開方向に付勢している。容器蓋４８の軸方向両端には一部が欠けた円形の側板４８ａ，４８ｂが一体的に取り付けられている。この側板４８ａ，４８ｂは、容器本体４１の側板４１ａ，４１ｂの間隔よりも広く配置されているため、容器蓋４８が閉じられたとき、側板４１ａ，４１ｂの外側に重合する。この側板４８ａ，４８ｂは樹脂製であり、その中心部分に磁石５１，５２が嵌着されている。容器蓋４８が閉じられたときに、側板４８ａ，４８ｂが容器本体４１の側板４１ａ，４１ｂの外側に重合し、磁石４５，４６と磁石５１，５２が互いに吸着することで、容器本体４１に対して容器蓋４８が閉じられた状態を保持することができる。なお、磁石４５，４６と磁石５１，５２のいずれか一方を鉄片に置き換えることも可能である。
【００１６】
また、容器蓋４８内面のヒンジ４７寄りの位置には、板ばね６１，６２の一端がビス等により取り付けられている。板ばね６１，６２の他端は、容器蓋４８内面他端側に沿いかつ内側に向けて湾曲されており、容器本体４１と容器蓋４８内に収納されたクッキングペーパー等５９の外周部分を押圧する。この板ばね６１，６２により、クッキングペーパー等５９の外周部分がロール本体側へ押圧されることで、クッキングペーパー等５９の先端部分が自由にほどけることが防止される。なお、板ばね６１，６２は、樹脂製でも金属製でも良い。
【００１７】
容器蓋４８の周方向他端には、ヒンジ５３を介して断面Ｌ字形をしたフラップ５４が軸支されている。容器本体４１に容器蓋４８が閉じられた状態で、フラップ５４が閉じ方向に回動すると、フラップ５４の先端の折曲部分が当接面４２に重なる。フラップ５４の先端内側には、アングル材５６が接着されており、その間に鋸歯状のカッター５７が保持されている。このカッター５７により引き出されたクッキングペーパー等が切断される。このフラップ５４の外側先端側の面の軸方向中央部分には、フラップ５４を摘みやすくするためと視覚障害がある使用者が中央部分を確認できるように凹部５８が形成されている。
【００１８】
このように構成されたラップフィルム収納ケースの使用方法は、図１〜図３に示されたラップ専用のラップフィルム収納ケースの使用方法と基本的には同一である。しかし、収納されるのがクッキングペーパー等であるため、切断時に、クッキングペーパー等の先端部分が、当接面４２に吸着されないが、ロール本体の外周部が板ばね６１，６２により常時押圧されているので、先端部がフラップ５４と当接面４２との間から飛び出てくることはない。
【００１９】
図１２〜図１４は第４の実施形態を示し、図１２はラップを収納した状態の斜視図であり、図１３は使用状態の横断面図であり、図１４はラップ交換のため開放した状態の斜視図である。この第４の実施形態は、図１〜図３に示した第１の実施形態からコイルばね１５を除去した構成であり、他は第１の実施形態と同一構成であり、使用方法も略同一であるので同一部材に同一符号を付して、詳細な説明を省略する。
【００２０】
図１５および図１６は第５の実施形態を示し、図１５はラップを収納した状態の斜視図であり、図１６はラップ交換のため開放した状態の斜視図である。この第５の実施形態は、図６〜図８に示した第２の実施形態からコイルばね３５を除去した構成であり、他は第２の実施形態と同一構成であり、使用方法も略同一であるので同一部材に同一符号を付して、詳細な説明を省略する。
【００２１】
図１７〜図１９は第６の実施形態を示し、図１７はラップを収納した状態の斜視図であり、図１８は使用状態の横断面図であり、図１９はラップ交換のため開放した状態の斜視図である。この第６の実施形態は、図９〜図１１に示した第３の実施形態のヒンジ５３の部分にコイルばね５５を装着した構成であり、他は第３の実施形態と同一構成であり、使用方法も略同一であるので同一部材に同一符号を付して、詳細な説明を省略する。
【００２２】
図２０〜図２３は第７の実施形態を示し、図２０はラップを収納した状態の斜視図であり、図２１はラップ交換のため開放した状態の斜視図であり、図２２は容器本体から当接面の部分を取り出して単独で示した斜視図であり、図２３はフラップを単独で示した斜視図である。この第７の実施形態は、図１５および図６に示した第５の実施形態の一部に改良を加えたものであり、他は第５の実施形態と同一構成であるので、同一部材に同一符号を付して、同一部分の詳細な説明を省略して、異なる部分について説明する。
【００２３】
すなわち、容器本体２１の周方向外側に配設された当接面２２の外側の面に貼着された樹脂板２３の両端２箇所に磁石７１，７２が埋設されている。同様に、フラップ３４の周方向内側の面の両端２箇所に磁石７３，７４が埋設されている。このように構成したことで、フラップ３４を閉じたとき、フラップ３４側の磁石７３，７４が樹脂板２３側の磁石７１，７２に吸着されてフラップ３４は閉じた状態に保持される。その結果、フラップ３４の内側に覆われている、切断されたラップの先端が衛生的に保たれる。なお、磁石７１，７２と磁石７３，７４のいずれか一方を鉄片に置き換えることも可能である。
【００２４】
なお、上述した各実施形態では、容器本体の側板と容器蓋の側板を円形にして、容器本体と容器蓋を閉じたとき、互いの側板が重合する構成にしていたが、この側板を半円形にして、容器本体と容器蓋を閉じたときに互いの側板の直線部が当接するようにして、その当接部に磁石を取り付けておくようにすることも可能である。
【産業上の利用可能性】
【００２５】
本発明は、ラップ、アルミホイル、クッキングペーパーを収納する以外に、ロール状に巻き付けられた障子紙やその他のシート材を収納して使用する場合にも利用可能である。
【図面の簡単な説明】
【００２６】
【図１】第１の実施形態の斜視図である。
【図２】第１の実施形態の横断面図である。
【図３】第１の実施形態の開放した状態を示す斜視図である。
【図４】第１の実施形態の当接面部分を単独で示した斜視図である。
【図５】第１の実施形態のフラップ部分を単独で示した斜視図である。
【図６】第２の実施形態の斜視図である。
【図７】第２の実施形態の横断面図である。
【図８】第２の実施形態の開放した状態を示す斜視図である。
【図９】第３の実施形態の斜視図である。
【図１０】第３の実施形態の横断面図である。
【図１１】第３の実施形態の開放した状態を示す斜視図である。
【図１２】第４の実施形態の斜視図である。
【図１３】第４の実施形態の横断面図である。
【図１４】第４の実施形態の開放した状態を示す斜視図である。
【図１５】第５の実施形態の斜視図である。
【図１６】第５の実施形態の開放した状態を示す斜視図である。
【図１７】第６の実施形態の斜視図である。
【図１８】第６の実施形態の横断面図である。
【図１９】第６の実施形態の開放した状態を示す斜視図である。
【図２０】第７の実施形態の斜視図である。
【図２１】第７の実施形態の開放した状態を示す斜視図である。
【図２２】第７の実施形態の当接面部分を単独で示した斜視図である。
【図２３】第７の実施形態のフラップ部分を単独で示した斜視図である。
【符号の説明】
【００２７】
１  容器本体
１ａ，１ｂ  側板
２  当接面
３  樹脂板
４  凹部
５，６  磁石
７  ヒンジ
８  容器蓋
８ａ，８ｂ  側板
１１，１２  磁石
１３  ヒンジ
１４  フラップ
１５  コイルばね
１６  アングル材
１７  カッター
１８  凹部
１９  ラップ
２１  容器本体
２１ａ，２１ｂ  側板
２２  当接面
２３  樹脂板
２４  凹部
２５，２６  磁石
２７  ヒンジ
２８  容器蓋
２８ａ，２８ｂ  側板
２９  コイルばね
３１，３２  磁石
３３  ヒンジ
３４  フラップ
３５  コイルばね
３６  アングル材
３７  カッター
３８  凹部
４１  容器本体
４１ａ，４１ｂ  側板
４２  当接面
４４  凹部
４５，４６  磁石
４７  ヒンジ
４８  容器蓋
４８ａ，４８ｂ  側板
４９  コイルばね
５１，５２  磁石
５３  ヒンジ
５４  フラップ
５５  コイルばね
５６  アングル材
５７  カッター
５８  凹部
５９  クッキングペーパー等
６１，６２  板ばね
７１〜７４  磁石
【図１】
2005255185.tif 000003
【図２】
2005255185.tif 000004
【図３】
2005255185.tif 000005
【図４】
2005255185.tif 000006
【図５】
2005255185.tif 000007
【図６】
2005255185.tif 000008
【図７】
2005255185.tif 000009
【図８】
2005255185.tif 000010
【図９】
2005255185.tif 000011
【図１０】
2005255185.tif 000012
【図１１】
2005255185.tif 000013
【図１２】
2005255185.tif 000014
【図１３】
2005255185.tif 000015
【図１４】
2005255185.tif 000016
【図１５】
2005255185.tif 000017
【図１６】
2005255185.tif 000018
【図１７】
2005255185.tif 000019
【図１８】
2005255185.tif 000020
【図１９】
2005255185.tif 000021
【図２０】
2005255185.tif 000022
【図２１】
2005255185.tif 000023
【図２２】
2005255185.tif 000024
【図２３】
2005255185.tif 000025